(57)【要約】      （修正有）【課題】位置決め補助部により、携帯型電子装置の落下防止の効果を高めたフレキシブルプロテクティブケースを提供する。【解決手段】携帯型電子裝置の外側を包むように用いられるフレキシブルプロテクティブケースであり、弾性と可撓性を有する一プロテクティブケース本体２０が備わり、該プロテクティブケース本体は、前側面２１と背側面２２を持つ背板部２３、位置決め部と透かし部を備えてなり、位置決め部は、該携帯型電子裝置の位置決めを行うように設ける。また、透かし部は、携帯型電子裝置のコントロールパネルインターフェイスを露出するように設けられており、少なくとも、プロテクティブケース本体に突き出すように一体成形された一手持ち位置決め補助凸部３０が備わり、該手持ち位置決め補助凸部３０は、使用者が手の指で挟み持ち、または指を通すように位置決め補助機能を果すように設ける。【選択図】図２
0003176770.tif 000002
【実用新案登録請求の範囲】
【請求項１】
既有の携帯型電子裝置Ａの外側を包むように用いられる該フレキシブルプロテクティブケース１０であって、
弾性と可撓性を有するゴムプラスチック高分子弾性材料で作られ、前側面２１と背側面２２を持つ背板部２３、及び該背板部２３の前側面２１に設けられた位置決め部２４を備えてなる該プロテクティブケース本体２０が備えられ、該位置決め部２４は、該携帯型電子裝置Ａの位置決めを行うように設けられ、該プロテクティブケース本体２０の前側面２１には更に、該携帯型電子裝置ＡにあるコントロールパネルインターフェイスＡ１を露出するための透かし部２５が設けられており、
少なくとも、該プロテクティブケース本体２０の背側面２２に突き出すように一体成形された一手持ち位置決め補助凸部３０が備えられ、該手持ち位置決め補助凸部３０は、使用者が手にしたとき、手の指で挟み持ち、指を通し、またはかぎ状に曲げて持てるようにするために、いずれかの一つの位置決め補助形態や機能を供するように設けられていることを特徴とする携帯型電子装置のフレキシブルプロテクティブケース。
【請求項２】
該手持ち位置決め補助凸部３０は、突出部３１、及び該突出部３１の先端に設けられた拡大ヘッド３２を備え、該突出部３１は、使用者が手にしたとき、二本の手の指で挟み持つように設けられ、該拡大ヘッド３２は、手の指を外側に当て、止めるように設けられていることを特徴とする請求項１に記載の携帯型電子装置のフレキシブルプロテクティブケース。
【請求項３】
該突出部３１は、円形、扁形または多辺形断面で、該拡大ヘッド３２の縁部は円形、長形、長方形、多辺形のいずれかの一つに設けられていることを特徴とする請求項２に記載の携帯型電子装置のフレキシブルプロテクティブケース。
【請求項４】
該手持ち位置決め補助凸部３０は、円環３３、及び該円環３３とプロテクティブケース本体２０の背側面２２を結ぶための連結部３４を備えてなり、該円環３３の形状と寸法は、使用者が手にしているとき、少なくとも一本の手の指が通るように設けられていることを特徴とする請求項１に記載の携帯型電子装置のフレキシブルプロテクティブケース。
【請求項５】
該手持ち位置決め補助凸部３０は、カール状、螺旋状、凸条状、シート状のいずれかの一つの形態に設けられていることを特徴とする請求項１に記載の携帯型電子装置のフレキシブルプロテクティブケース。
【考案の詳細な説明】
【技術分野】
【０００１】
本考案は、携帯型電子装置のフレキシブルプロテクティブケースに関し、特に背側面に手持ち位置決め補助凸部が一体成形されているフレキシブルプロテクティブケースに関する。
【背景技術】
【０００２】
電子技術の発展、薄型と軽量化に伴って、現在の携帯型電子裝置が非常に普及されるようになり、該携帯型電子裝置は、機能が多様化し、例えば、携帯電話、ＰＤＡ（パーソナル・デジタル・アシスタン）、タブレットＰＣ、ナビゲーション装置、電子ブック、電子ゲーム機、電子プレヤーなどがある。
【０００３】
該携帯型電子裝置の関連付属品と言えば、直ちにプロテクティブケースが連想される商品の一つと思われるが、本考案の検討しようとする対象物は、携帯型電子裝置のフレキシブルプロテクティブケース商品であり、該フレキシブルプロテクティブケースは多く、シリコンやＴＰＲ、ＰＶＣなどのような弾力性のある材質で作られているが、それに限らず、該フレキシブルプロテクティブケースのフレキシブル性により、衝突、落下、スクラッチなどから携帯型電子裝置を保護しており、このようなフレキシブルプロテクティブケースは通常、使いやすいために、保護装置を有する携帯型電子裝置の操作インターフェースが設けられている。
【０００４】
ところが、従来の携帯型電子裝置は、フレキシブルプロテクティブケースが配置されているが、以下のような問題点がある。
【０００５】
伝統的な携帯型電子裝置は、製造技術に限られ、全体としてサイズが大きく、コンパクト化や軽量、薄型化を実現することはできなかったが、ここの数年間、電子技術が大きく発展し、様々な携帯型電子裝置の外観はコンパクト化、軽量でかつ薄型で実現されているが、それは、使用者にとって必ずしも使いやすいものだとは限らず、あまりにも小さすぎて、持ちにくいからという問題点があり、また、もう一つの重要な問題点を取り上げていえば、現在のタブレットＰＣから、タッチパネルブームが流行るようになり、コンピュータのスクリーンは、ワイドディスプレイインターフェースが市場の主流となっており、携帯型電子裝置は幅が広く、薄型の新タイプが多く増えていることにあり、そのような幅が広く、薄型商品を手にしてみると、理想的な安定性と持ち心地ではなく、長い時間手にして使用すると、職業性傷害になりがち（例えば、肘や腕の痛み）であり、あまり力を入れず、手でしっかりと握らないと、落下したり、または落下しないまでも、落とす危険を考えて不安を感じたりすること、それらは、従来のフレキシブルプロテクティブケースの設計や機能では解決できない問題点である。現在、市販されているフレキシブルプロテクティブケース商品はせいぜい、携帯型電子裝置の外側を包むのに用いられる付属品に過ぎないものであり、上述の問題点について、より実用的機能を有する新しいフレキシブルプロテクティブケース構造を開発するのが、使用者が望むことであり、関連業者がそれを開発するよう努力すべき目標と方向でもある。
【０００６】
それを鑑みて、発明者は  関連製品の製造や開発設計に携わる長年の経験を持っており、上述の目標について、詳しく設計、慎重に評価したうえ、ようやく実用性のある本考案を開発したものである。
【考案の概要】
【考案が解決しようとする課題】
【０００７】
本考案は、携帯型電子装置のフレキシブルプロテクティブケースの改良を目的とし、解決しようとする課題は、改良して、より理想的で実用性のある新しい携帯型電子裝置用フレキシブルプロテクティブケースを開発することにある。
【課題を解決するための手段】
【０００８】
本考案の課題の技術特徴として、既存の携帯型電子裝置の外側を包むように用いられるフレキシブルプロテクティブケースであり、弾性と可撓性を有するゴムプラスチック高分子弾性材料で作られ、前側面と背側面を持つ背板部、及び該背板部の前側面に設けられた位置決め部を備えてなる該プロテクティブケース本体が備わり、該位置決め部は、該携帯型電子裝置の位置決めを行うように設けられ、該プロテクティブケース本体の前側面には更に、該携帯型電子裝置にあるコントロールパネルインターフェイスを露出するための透かし部が設けられており、少なくとも、該プロテクティブケース本体の背側面に突き出すように一体成形された片手持ち位置決め補助凸部が備えられたもので、該手持ち位置決め補助凸部は、使用者が手にしたとき、手の指で挟み持ち、指を通し、またはかぎ状に曲げて持つようにするなど、いずれかの一つの位置決め補助形態や機能に供するように設けられ、それにより、使用者が携帯型電子裝置を手にしている安定性を高め、落下を有効に防ぐと同時に、持ち心地のよさを向上、握り持つ時の使いやすさを高め、製品の付加価値を高めるという実用性を有するものである。
【０００９】
本考案にあっては、該手持ち位置決め補助凸部は、突出部、及び該突出部の先端に設けられた拡大ヘッドを備えてなり、該突出部は、使用者が手にしているとき、二本の手の指で握り持つように設けられ、該拡大ヘッドは、手の指を外側に当て、止めるように設けられており、それにより、持ち心地のよさを向上、手で握り持つときの安定性を高めるように設けられていることをもう一つの目的とする。
【００１０】
本考案にあっては、該手持ち位置決め補助凸部は、円環、及び該円環とプロテクティブケース本体の背側面を結ぶための連結部を備えてなり、円環の形状と寸法は、使用者が手にしているとき、少なくとも、一本の手の指が通るように設けられ、握り持つときの安定性を高め、落下を有効に防ぐように設けられていることをまたもう一つの目的とする。
【考案の効果】
【００１１】
本考案による効果向上の事実は下記の通り。  
本考案に掲示した“携帯型電子装置のフレキシブルプロテクティブケース”は、プロテクティブケース本体の背板部の手持ち位置決め補助凸部により、使用者が携帯型電子裝置を手にしたとき、二本の手の指で該手持ち位置決め補助凸部の突出部を挟み持ち、手の指が手持ち位置決め補助凸部の拡大ヘッドとプロテクティブケース本体の背板部との間に当て、止めるように設けられており、［背景技術］よりも、使用者が握り持つときの安定性が高まり、落下防止が有効になると同時に、手持ち心地がよく、手で握り持つ時の使いやすさが高まり、製品の付加価値が高まるという実用性がある。
【００１２】
本考案による新しい効果は下記の通り。  
該手持ち位置決め補助凸部はカール状に設けられ、それにより、使用者は手の指を、手持ち位置決め補助凸部を通らせ、手の指に巻きつけ、該手持ち位置決め補助凸部を、二本の手の指の間で握り持つようにして、落下防止の効果を高め、握るときの安定性を高めるようにすることができる。
【００１３】
上述した実施例に掲示したのは、本考案を具体的に説明するために用いられる内容であり、文の中で専門用語で説明してきたが、それを以って本考案の実用新案登録請求範囲を制限してはならず、当該技術分野の分かるものが本考案のコンセプトや考えに基づき、その変化や改造などを行って、それと同等な効果を得たとしても、すべて本考案の特許請求範囲に含まれるものとする。
【図面の簡単な説明】
【００１４】
【図１】本考案のフレキシブルプロテクティブケースに包まれている携帯型電子装置の分解立体図。
【図２】本考案のフレキシブルプロテクティブケースの背側面に手持ち位置決め補助凸部が設けられている立体図。
【図３】本考案の手持ち位置決め補助凸部の実施状態イメージ。
【図４】本考案の手持ち位置決め補助凸部の実施状態の断面正面図。
【図５】本考案における突出部の拡大ヘッドの実施例平面図。
【図６】本考案における突出部の拡大ヘッドのもう一つの実施例平面図。
【図７】本考案手の指が手持ち位置決め補助凸部の円環を通っている立体イメージ。
【図８】本考案の手持ち位置決め補助凸部は、カール状である場合の実施例図。
【図９】本考案の手持ち位置決め補助凸部はシート状である場合の実施例図。
【考案を実施するための形態】
【００１５】
図１、図２に示すのは、本考案の携帯型電子装置のフレキシブルプロテクティブケースの好適な実施例だが、これらの実施例は説明のみに用いられるもので、実用新案登録請求の際、それらの構造に制限されないものとする。既存の携帯型電子裝置Ａの外側を包むように用いられる該フレキシブルプロテクティブケース１０であり、
弾性と可撓性を有するゴムプラスチック高分子弾性材料で作られたプロテクティブケース本体２０が備わり、またはシリコン材料、ＴＰＲ、ＰＶＣなどのような弾性材料で作られてもよい。該プロテクティブケース本体２０は、前側面２１と背側面２２を有する背板部２３、及び該背板部２３の前側面２１に設けられた位置決め部２４を備えてなり、該位置決め部２４は、該携帯型電子裝置Ａの位置決めを行うように設けられ、該プロテクティブケース本体２０の前側面２１には更に、該携帯型電子裝置ＡにあるコントロールパネルインターフェイスＡ１を露出するために、透かし部２５が設けられる。
該プロテクティブケース本体２０の背側面２２に突き出すように一体成形された一手持ち位置決め補助凸部３０が設けられ、該手持ち位置決め補助凸部３０は、突出部３１、及び該突出部３１の先端に設けられた拡大ヘッド３２を備えてなり、該突出部３１は、円形、扁形または多辺形断面で、該拡大ヘッド３２の縁部は円形、長形、多辺形のいずれかの一つに設けられてもよく、それらの形態に限らず、幾何図形、造形模様（例えば、動植物、交通機関、干支の動物、アニメのキャラクター）などの実施形態に設けられてもよく、それにより、拡大ヘッド３２の多様化や豊富さを持たせ、モダンで装飾性がある効果を持つが、該突出部３１は、使用者が手にしたとき、二本の手の指Ｂで挟み持つように設けられ、該拡大ヘッド３２は、手の指Ｂを外側に当て、止めるようにし（図３、図４）、更に、使用者が携帯型電子裝置Ａを握り持つときの安定性を高めることができる。
【００１６】
該手持ち位置決め補助凸部３０は、もう一つの形態に設けられるが、図７に示すように、円環３３、及び該円環３３とプロテクティブケース本体２０の背側面２２を結ぶための連結部３４を備えてなり、該円環３３の形状と寸法は、使用者が手にしているとき、少なくとも一本の手の指Ｂが通るように設けられ、該手持ち位置決め補助凸部３０は更に、カール状（図８）、螺旋状、凸条状、シート状（図９）のいずれかの一つの形態に設けられてもよい（螺旋状、凸条状の形態は図示されない）。
【００１７】
以下、本考案の使用、作動状況について説明する。
【００１８】
図３〜図６に示すように、まず、既有の携帯型電子裝置Ａをプロテクティブケース本体２０の透かし部２５に入れ、該携帯型電子裝置ＡのコントロールパネルインターフェイスＡ１を露出し、供手の指でタッチして、制御するようにするが、使用者は携帯型電子裝置Ａを手にするとき、二本の手の指Ｂがプロテクティブケース本体２０の背板部２３と拡大ヘッド３２と間に入り、手持ち位置決め補助凸部３０の突出部３１を挟み持って、拡大ヘッド３２が手の指Ｂを外側に当て、止めるように設けられているから、握り持つときの安定性が高まる。
【００１９】
図７に示すのは、本考案の手持ち位置決め補助凸部３０のもう一つの実施例であり、使用者が携帯型電子裝置Ａを手にするとき、手の指が手持ち位置決め補助凸部３０の円環３３を通って、握り持つときの安定性を高めるようにするが、使用後、使用者が携帯型電子裝置Ａをポケットやカバンの中へ入れるとき、該連結部３４の可撓性を利用して、手持ち位置決め補助凸部３０を曲げて入れられるから、収納空間が節約できるが、または、図８に示すように、該手持ち位置決め補助凸部３０はカール状に設けられており、使用者は、手の指Ｂを該カール状部位を通らせ、手の指Ｂに巻き付け、カール状部位を二本の手の指Ｂの間で握り持つようにして、落下などを防ぐことができるが、または、図９に示すように、該手持ち位置決め補助凸部３０は、シート状に設けられ、それにより、使用者の手の指Ｂが該手持ち位置決め補助凸部３０と背板部２３との間を通るようになり、該手の指Ｂがそこを通り、握り持つ状態は、本実施例に図示されていない。
【符号の説明】
【００２０】
１０  フレキシブルプロテクティブケース         
２０  プロテクティブケース本体           
２１  前側面                   
２２  背側面             
２３  背板部                   
２４  位置決め部                
２５  透かし部                
３０  手持ち位置決め補助凸部       
３１  突出部             
３２  拡大ヘッド                  
３３  円環                  
３４  連結部             
Ａ 携帯型電子裝置             
Ｂ 手の指                
Ａ１  コントロールパネルインターフェイス                
【図１】
0003176770.tif 000003
【図２】
0003176770.tif 000004
【図３】
0003176770.tif 000005
【図４】
0003176770.tif 000006
【図５】
0003176770.tif 000007
【図６】
0003176770.tif 000008
【図７】
0003176770.tif 000009
【図８】
0003176770.tif 000010
【図９】
0003176770.tif 000011